(57)【要約】【課題】ハードディスクドライブの温度を一定に保つことができる録画再生装置の提供。【解決手段】録画再生装置は、ハードディスクドライブ１と、ペルチェ素子２と温度センサー３とで構成される複数の温度調節手段４と、制御回路５とを備える。複数の温度調節手段４の温度センサー３がハードディスクドライブ１のペルチェ素子２を配置した箇所の温度を正確に計測し、制御回路５が温度センサー３で計測したハードディスクドライブ１の温度分布に応じて複数の温度調節手段４のペルチェ素子２を冷却または加熱するように個々に制御し、ハードディスクドライブ１の広範囲にわたる面積の温度を複数の温度調節手段４により均一に保つことができる。【選択図】        図１
2004335004.tif 000002
【特許請求の範囲】
【請求項１】
ＡＶ信号をデジタル記録し、デジタル記録した前記ＡＶ信号を再生する録画再生装置において、
前記ＡＶ信号を記録媒体に記憶するＡＶ信号記憶手段と、前記ＡＶ信号記憶手段に２次元的に配置され、前記ＡＶ信号記憶手段の温度を一定に保つための冷却・加熱切替え可能な冷却・加熱手段と前記ＡＶ信号記憶手段の前記冷却・加熱手段を配置した箇所の温度を計測する温度計測手段とで構成される複数の温度調節手段と、前記複数の温度調節手段の前記冷却・加熱手段を制御する制御手段とを備え、前記制御手段は、前記温度計測手段で計測した前記ＡＶ信号記憶手段の温度分布に応じて前記複数の温度調節手段の前記冷却・加熱手段を冷却または加熱するように個々に制御することを特徴とする録画再生装置。
【請求項２】
上記冷却・加熱手段は、ペルチェ素子であり、上記温度計測手段は、温度センサーであり、前記ペルチェ素子及び前記温度センサーは、上記ＡＶ信号記憶手段に密着するように配置された熱伝導体内に組み込まれている請求項１に記載の録画再生装置。
【請求項３】
上記複数の温度調節手段は、上記ＡＶ信号記憶手段の熱発生による温度分布に応じてグループ分けして配置されている請求項１または２に記載の録画再生装置。
【発明の詳細な説明】
【０００１】
【発明の属する技術分野】
本発明は、ハードディスクドライブを利用したＡＶ信号の録画再生装置に関し、特に、ハードディスクドライブの温度を一定に保つためのハードディスクドライブ温度制御機構を備えた録画再生装置に関する。
【０００２】
【従来の技術】
ビデオ，オーディオ信号などのＡＶ（Ａｕｄｉｏ  Ｖｉｓｕａｌ）信号をデジタル記録し、デジタル記録したＡＶ信号を再生するための録画再生装置において、従来は、ＡＶ信号をハードディスクに記憶するハードディスクドライブを冷却するために、ハードディスクドライブの周囲に空間を開け、ファンを用いてハードディスクドライブの冷却を行う方法を採用していた。
【０００３】
また、ペルチェ素子と温度センサーを用いて、記録媒体の回転系の温度を一定に保つことが特許文献１に記載されているが、ハードディスクドライブのように、記録媒体の全面の温度を一定に保つための記載がない。
【０００４】
【特許文献１】
特開２００２−１３４９７４号公報
【０００５】
【発明が解決しようとする課題】
従来の技術においては、ハードディスクドライブの周囲に空間を設け、ファン等により強制換気することにより、ハードディスクドライブの温度上昇を低減させていた。
【０００６】
この場合、ハードディスクドライブの周囲には、一定の空間が必要であるため、装置全体を小型化することはできない上、ファンによる騒音の問題が発生していた。
【０００７】
また、特許文献１に記載されているペルチェ素子と温度センサーを用いて、記録媒体の回転系の温度を一定に保つだけでは、ハードディスクドライブのように、記録媒体の全面に渡って温度を一定にする必要があるデバイスにおいては、ハードディスクドライブの温度変化によって位置決めが正確に行われず、ＡＶ信号の記録，再生を正確に行うことができない。
さらに、特許文献１には、ペルチェ素子と温度センサーとの位置関係、ハードディスクドライブに対するペルチェ素子の取り付け方法などについても記載がなく、正確にハードディスクドライブの温度を制御するための方法が記載されていない。
【０００８】
本発明は、そのような状況に鑑みてなされたもので、冷却・加熱手段と温度計測手段とをペアで一体化して構成される温度調節手段をＡＶ信号記憶手段に密着するように配置し、ＡＶ信号記憶手段の温度調節手段の冷却・加熱手段を配置した箇所の温度を温度計測手段により正確に計測することができ、制御手段が温度計測手段で計測したＡＶ信号記憶手段の温度分布に応じて温度調節手段の冷却・加熱手段を冷却または加熱するように個々に制御し、温度調節手段の冷却・加熱手段の持つ熱交換作用によって、ＡＶ信号記憶手段の広範囲にわたる面積の温度を温度調節手段により均一に保つことができ、従来のようにＡＶ信号記憶手段の周囲に一定の空間を必要とせず、装置の小型化を図れ、ファンなどによる騒音の問題が発生することのない録画再生装置を提供することを目的とする。
【０００９】
【課題を解決するための手段】
本発明はこうした課題を解決するための手段を提供するもので、各請求項の発明は、以下の技術手段を構成する。
上記目的を達成するために、本発明の録画再生装置は、ＡＶ信号をデジタル記録し、デジタル記録した前記ＡＶ信号を再生する録画再生装置において、前記ＡＶ信号を記録媒体に記憶するＡＶ信号記憶手段と、前記ＡＶ信号記憶手段に２次元的に配置され、前記ＡＶ信号記憶手段の温度を一定に保つための冷却・加熱切替え可能な冷却・加熱手段と前記ＡＶ信号記憶手段の前記冷却・加熱手段を配置した箇所の温度を計測する温度計測手段とで構成される複数の温度調節手段と、前記複数の温度調節手段の前記冷却・加熱手段を制御する制御手段とを備え、前記制御手段が、前記温度計測手段で計測した前記ＡＶ信号記憶手段の温度分布に応じて前記複数の温度調節手段の前記冷却・加熱手段を冷却または加熱するように個々に制御することを特徴とする構成を有するものである。
【００１０】
上記に記載の本発明の録画再生装置によれば、冷却・加熱手段と温度計測手段とをペアで一体化して構成される複数の小面積の温度調節手段をＡＶ信号記憶手段に密着するように２次元的に配置したことにより、複数の温度調節手段の温度計測手段がＡＶ信号記憶手段の冷却・加熱手段を配置した箇所の温度を正確に計測し、制御手段が温度計測手段で計測したＡＶ信号記憶手段の温度分布に応じて複数の温度調節手段の冷却・加熱手段を冷却または加熱するように個々に制御するので、ＡＶ信号記憶手段の広範囲にわたる面積の温度を複数の温度調節手段により均一に保つことができ、温度調節手段をＡＶ信号記憶手段の小範囲のセグメント構造を集合させた構造としているので、ＡＶ信号記憶手段の広範囲にわたり温度を正確に制御することが可能となる。
【００１１】
本発明の録画再生装置は、上記冷却・加熱手段が、ペルチェ素子であり、上記温度計測手段が、温度センサーであり、前記ペルチェ素子及び前記温度センサーが、上記ＡＶ信号記憶手段に密着するように配置された熱伝導体内に組み込まれている。
【００１２】
上記に記載の本発明の録画再生装置によれば、温度調節手段を構成するペルチェ素子及び温度センサーが熱伝導体内に組み込まれているので、温度調節手段のペルチェ素子及び温度センサーのＡＶ信号記憶手段に対する取り付けを容易に行うことができる。
【００１３】
本発明の録画再生装置は、上記複数の温度調節手段が、上記ＡＶ信号記憶手段の熱発生による温度分布に応じてグループ分けして配置されている。
【００１４】
上記に記載の本発明の録画再生装置によれば、温度調節手段をＡＶ信号記憶手段の熱発生による温度分布に応じてグループ分けして配置したことにより、制御手段が温度計測手段で計測したＡＶ信号記憶手段の温度分布に応じてグループ分けした温度調節手段の冷却・加熱手段を冷却または加熱するように個々に制御するので、ＡＶ信号記憶手段の広範囲にわたる面積の温度をグループ分けした温度調節手段により均一に保つことができ、制御手段が温度調節手段の冷却・加熱手段をＡＶ信号記憶手段の高温部と低温部の２つのグループに分けて温度制御するために、温度調節手段、制御手段を簡素化することができる。
【００１５】
【発明の実施の形態】
以下、本発明の実施形態について図面を参照しながら詳細に説明する。
図１は、本発明に係る第１の実施形態の録画再生装置の構成を示す斜視図である。
本発明の録画再生装置は、ＡＶ信号をデジタル記録し、デジタル記録したＡＶ信号を再生する装置である。
【００１６】
本発明の録画再生装置は、ＡＶ信号を記録媒体であるハードディスク（図示せず）に記憶するＡＶ信号記憶手段であるハードディスクドライブ１と、ハードディスクドライブ１に密着するように２次元的に配置され、ハードディスクドライブ１の温度を一定に保つための冷却・加熱切替え可能な冷却・加熱手段であるペルチェ素子２とハードディスクドライブ１のペルチェ素子２を配置した箇所の温度を計測する温度計測手段である温度センサー３とで構成される複数の温度調節手段４と、複数の温度調節手段４のペルチェ素子２を制御する制御手段である制御回路５とを備え、制御回路５が、温度センサー３で計測したハードディスクドライブ１の温度分布に応じて複数の温度調節手段４のペルチェ素子２を冷却または加熱するように個々に制御する。
【００１７】
本発明の録画再生装置は、ペルチェ素子２及び温度センサー３が、ハードディスクドライブ１に密着するように配置された熱伝導体である２枚の熱伝導幕６，６内に組み込まれている。
【００１８】
本発明による録画再生装置の実施形態の一例を図１〜図３に基づいて以下に説明する。
録画再生装置は、図１に示すように、ハードディスクドライブ１と、ハードディスクドライブ１の温度を一定に保つために２次元的に配置された複数の温度調節手段４と、ハードディスクドライブ１の温度によって複数の温度調節手段４を制御する制御回路５とから構成されている。
【００１９】
ハードディスクドライブ１と複数の温度調節手段４とは、図１に示すように、互いに密着するように配置され、ハードディスクドライブ１の温度分布に従って個々の温度調節手段４のペルチェ素子２を制御するため、ペルチェ素子２が持つ熱交換作用によって、ハードディスクドライブ１の全面の温度が制御できる。
【００２０】
図２は、本発明に係る第１の実施形態の録画再生装置における温度調節手段の１セグメントの構造を詳細に示す説明図である。
温度調節手段４は、図２に示すように、ペルチェ素子２と、温度センサー３と、２枚の熱伝導幕６，６とを備えている。
【００２１】
ハードディスクドライブ１の全面を正確に温度制御する必要があるため、各温度調節手段４には、ペルチェ素子２と温度センサー３が各々に配置されている。
【００２２】
ペルチェ素子２は、Ｐ型半導体２０，２０、Ｎ型半導体２１、及び各々の半導体間を接続する導体２２から構成されている。
各々のペルチェ素子２は、熱伝導幕６，６で熱的に結合されている。
【００２３】
ハードディスクドライブ１側の熱伝導膜６には、温度センサー３が取り付けられている。
【００２４】
ペルチェ素子２には、電源が加えられるが、ハードディスクドライブ１と反対側の導体２２に電気的に接続された電極Ａに＋電源、ハードディスクドライブ１側の導体２２に電気的に接続された電極Ｂに−電源を加えた場合、ペルチェ素子２のハードディスクドライブ１側では発熱が起こり、ペルチェ素子２のハードディスクドライブ１と反対側では吸熱が起こるため、ハードディスクドライブ１を加熱することができる。
【００２５】
これとは逆に、電極Ａに−電源、電極Ｂに＋電源を加えた場合、ペルチェ素子２のハードディスクドライブ１側では吸熱が起こり、ペルチェ素子２のハードディスクドライブ１と反対側では発熱が起こるため、ハードディスクドライブ１を冷却することができる。
【００２６】
また、温度センサー３は、熱伝導幕６を介してハードディスクドライブ１と密着するので、ハードディスクドライブ１の温度を正確に読み取ることができる。
【００２７】
ペルチェ素子２と温度センサー３とを備えた温度調節手段４は、このような構成をとるため、図１で示す制御回路５は、温度センサー３からの正確なハードディスクドライブ１の温度分布を読み取ることができ、この温度情報に従って、個々のペルチェ素子２に加える電圧を制御する。
【００２８】
図３は、本発明に係る第１の実施形態の録画再生装置における温度調節手段の１６セグメントをＡＶ信号記憶手段に２次元的に配置した構造を示す説明図である。
このような構造を持つ温度調節手段４が、図３に示すように、ハードディスクドライブ１に縦４，横４の１６セグメントを格子状に整列して２次元的に配置されるため、Ｐ１１，Ｐ１２，Ｐ１３，Ｐ１４，Ｐ２１，Ｐ２２，Ｐ２３，Ｐ２４，Ｐ３１，Ｐ３２，Ｐ３３，Ｐ３４，Ｐ４１，Ｐ４２，Ｐ４３，Ｐ４４の位置にある１６セグメントの各々の温度調節手段４の温度センサー３でハードディスクドライブ１の温度分布を正確に検知し、それに応じたペルチェ素子２の制御回路５による制御が可能となる。
【００２９】
図４は、本発明に係る第１の実施形態の録画再生装置における温度調節手段の制御手段による制御の一例を示す説明図である。
図４にハードディスクドライブ１の中央部の温度が高い場合の１６セグメントの温度調節手段４の制御回路５による制御の例について説明する。
個々の１６セグメントの温度調節手段４の温度センサー３の出力は、ハードディスクドライブ１の中央部にある（Ｐ２２，Ｐ２３，Ｐ３２，Ｐ３３）の４箇所の温度が高くなり、それ以外のハードディスクドライブ１の周辺部にある（Ｐ１１，Ｐ１２，Ｐ１３，Ｐ１４，Ｐ２１，Ｐ２４，Ｐ３１，Ｐ３４，Ｐ４１，Ｐ４２，Ｐ４３，Ｐ４４）の１２箇所の温度が低くなる。
【００３０】
このため、制御回路５は、個々の１６セグメントの温度調節手段４の温度センサー３からの温度情報を受け、制御回路５は、ハードディスクドライブ１の中央部にある（Ｐ２２，Ｐ２３，Ｐ３２，Ｐ３３）の４箇所を冷却するように４セグメントの温度調節手段４のペルチェ素子２を制御し、それ以外のハードディスクドライブ１の周辺部にある（Ｐ１１，Ｐ１２，Ｐ１３，Ｐ１４，Ｐ２１，Ｐ２４，Ｐ３１，Ｐ３４，Ｐ４１，Ｐ４２，Ｐ４３，Ｐ４４）の１２箇所を加熱するように１２セグメントの温度調節手段４のペルチェ素子２を制御する。
このため、ハードディスクドライブ１の中央部は温度が下がり、ハードディスクドライブ１の周辺部は温度が上がる。
このため、ハードディスクドライブ１全体としての温度を一定に保つことができる。
【００３１】
図５は、本発明に係る第２の実施形態の録画再生装置の構成を示す斜視図である。
本発明の録画再生装置は、複数の温度調節手段４が、ハードディスクドライブ１の熱発生による温度分布に応じて２つにグループ分けして配置されている。
【００３２】
図１に示した第１の実施形態では、ペルチェ素子２と温度センサー３とで構成される温度調節手段４を細かい１６のセグメントに分け、個々のセグメントを制御回路５により制御できるため、ハードディスクドライブ１の熱発生による温度分布が変るような場合に非常に有効な手段である。
【００３３】
図５に示す第２の実施形態では、ハードディスクドライブ１の熱発生による温度分布がほとんど変わらない場合に有効な手段である。
【００３４】
ハードディスクドライブ１は、使用時においては回転部分が高温となり、それ以外の部分はあまり温度上昇しない。
よって、ハードディスクドライブ１の発熱部分が決まっており、ハードディスクドライブ１の発熱部分をある程度特定することができる。
【００３５】
そこで、ペルチェ素子２と温度センサー３とで構成される温度調節手段４を、図５に示すように、セグメント４１とセグメント４２の２つのグループに分け、制御回路５は、ハードディスクドライブ１の発熱部分となる高温部１１を冷却するようにセグメント４１の温度調節手段４のペルチェ素子２を制御し、ハードディスクドライブ１の低温部１２を加熱するようにセグメント４２の温度調節手段４のペルチェ素子２を制御する。
このようにすることにより、図１に示した第１の実施形態に比べて温度調節手段４，制御回路５を簡素化できる。
【００３６】
上記にて説明された本発明により、以下の効果がもたらされる。
本発明の第１の実施形態の録画再生装置においては、上述したように、ペルチェ素子２と温度センサー３とをペアで一体化して構成される複数の小面積の温度調節手段４をハードディスクドライブ１に密着するように２次元的に配置したことにより、複数の温度調節手段４の温度センサー３がハードディスクドライブ１のペルチェ素子２を配置した箇所の温度を正確に計測し、制御回路５が温度センサー３で計測したハードディスクドライブ１の温度分布に応じて複数の温度調節手段４のペルチェ素子２を冷却または加熱するように個々に制御するので、ハードディスクドライブ１の広範囲にわたる面積の温度を複数の温度調節手段４により均一に保つことができ、温度調節手段４をハードディスクドライブ１の小範囲のセグメント構造を集合させた構造としているので、ハードディスクドライブ１の広範囲にわたり温度を正確に制御することが可能となる。
【００３７】
本発明の第２の実施形態の録画再生装置においては、温度調節手段４をハードディスクドライブ１の熱発生による温度分布に応じてグループ分けして配置したことにより、制御回路５が温度センサー３で計測したハードディスクドライブ１の温度分布に応じてグループ分けした温度調節手段４のペルチェ素子２を冷却または加熱するように個々に制御するので、ハードディスクドライブ１の広範囲にわたる面積の温度をグループ分けした温度調節手段４により均一に保つことができ、制御回路５が温度調節手段４のペルチェ素子２をハードディスクドライブ１の高温部１１と低温部１２の２つのグループに分けて温度制御するために、温度調節手段４，制御回路５を簡素化することができる。
【００３８】
【発明の効果】
本発明によれば、冷却・加熱手段と温度計測手段とをペアで一体化して構成される温度調節手段をＡＶ信号記憶手段に密着するように配置したので、ＡＶ信号記憶手段の温度調節手段の冷却・加熱手段を配置した箇所の温度を温度計測手段により正確に計測することができ、制御手段が温度計測手段で計測したＡＶ信号記憶手段の温度分布に応じて温度調節手段の冷却・加熱手段を冷却または加熱するように個々に制御するので、温度調節手段の冷却・加熱手段の持つ熱交換作用によって、ＡＶ信号記憶手段の広範囲にわたる面積の温度を温度調節手段により均一に保つことができ、従来のようにＡＶ信号記憶手段の周囲に一定の空間を必要とせず、装置の小型化を図れ、ファンなどによる騒音の問題が発生することもない録画再生装置を得ることができる。
【図面の簡単な説明】
【図１】本発明に係る第１の実施形態の録画再生装置の構成を示す斜視図。
【図２】本発明に係る第１の実施形態の録画再生装置における温度調節手段の１セグメントの構造を詳細に示す説明図。
【図３】本発明に係る第１の実施形態の録画再生装置における温度調節手段の１６セグメントをＡＶ信号記憶手段に２次元的に配置した構造を示す説明図。
【図４】本発明に係る第１の実施形態の録画再生装置における温度調節手段の制御手段による制御の一例を示す説明図。
【図５】本発明に係る第２の実施形態の録画再生装置の構成を示す斜視図。
【符号の説明】
１  ハードディスクドライブ（ＡＶ信号記憶手段）
２  ペルチェ素子（冷却・加熱手段）
３  温度センサー（温度計測手段）
４  温度調節手段
５  制御回路（制御手段）
６  熱伝導幕（熱伝導体）
１１  高温部
１２  低温部
２０  Ｐ型半導体
２１  Ｎ型半導体
２２  導体
４１  セグメント
４２  セグメント
Ａ  電極
Ｂ  電極
【図１】
2004335004.tif 000003
【図２】
2004335004.tif 000004
【図３】
2004335004.tif 000005
【図４】
2004335004.tif 000006
【図５】
2004335004.tif 000007